(57)【要約】【課題】ユーザの継続的な参加を促しつつ、電子バリューを用いた不正行為を防止すること。【解決手段】電子バリュー管理装置は、ユーザごと、またはユーザの使用端末ごとに、換金可能な電子バリューを示す換金可能バリューの残高と、換金不可能な電子バリューを示す換金不可バリューの残高と、が対応付けられた電子バリュー情報を記憶する記憶部と、ユーザによって入金された入金金額を示す入金情報を取得し、入金金額を換金不可バリューの残高に加算する入金処理部と、ユーザよる投票の投票金額を示す投票金額情報を取得し、投票金額を換金不可バリューの残高から減算する投票管理部と、投票に対する払戻金額を示す払戻金額情報を取得し、払戻金額を、換金可能バリューの残高および換金不可バリューの残高のうち少なくとも一方に加算する払戻管理部と、を備える。【選択図】図２
2018165933.tif 000002
【特許請求の範囲】
【請求項１】
ユーザごと、または前記ユーザの使用端末ごとに、換金可能な電子バリューを示す換金可能バリューの残高と、換金不可能な前記電子バリューを示す換金不可バリューの残高と、が対応付けられた電子バリュー情報を記憶する記憶部と、
前記ユーザによって入金された入金金額を示す入金情報を取得し、前記入金金額を前記換金不可バリューの残高に加算する入金処理部と、
前記ユーザよる投票の投票金額を示す投票金額情報を取得し、前記投票金額を前記換金不可バリューの残高から減算する投票管理部と、
前記投票に対する払戻金額を示す払戻金額情報を取得し、前記払戻金額を、前記換金可能バリューの残高および前記換金不可バリューの残高のうち少なくとも一方に加算する払戻管理部と、
を備えることを特徴とする電子バリュー管理装置。
【請求項２】
前記払戻管理部は、前記払戻金額の少なくとも一部を前記換金可能バリューの残高に加算する
ことを特徴とする請求項１に記載の電子バリュー管理装置。
【請求項３】
前記払戻管理部は、前記払戻金額が前記投票金額より大きい場合、前記払戻金額と前記投票金額との差額を前記換金可能バリューの残高に加算し、かつ前記投票金額を前記換金不可バリューの残高に加算し、前記払戻金額が前記投票金額以下である場合、前記払戻金額を前記換金不可バリューの残高に加算する
ことを特徴とする請求項１に記載の電子バリュー管理装置。
【請求項４】
前記投票管理部は、前記投票金額が前記換金不可バリューの残高より大きい場合、前記投票金額と前記換金不可バリューの残高との差額を前記換金可能バリューの残高から減算し、前記差額を前記換金不可バリューの残高に加算する
ことを特徴とする請求項１から請求項３のうちいずれか一項に記載の電子バリュー管理装置。
【請求項５】
前記記憶部は、前記ユーザごと、または前記ユーザの使用端末ごとに、前記換金可能バリューの残高と、前記換金不可バリューの残高と、前記換金可能バリューの残高を減算した場合における減算した金額の累積値を示すリチャージ総額と、が対応付けられた前記電子バリュー情報を記憶し、
前記投票管理部は、前記投票によって前記換金可能バリューの残高を減算した場合、減算した前記金額を前記リチャージ総額に加算する
ことを特徴とする請求項１から請求項４のうちいずれか一項に記載の電子バリュー管理装置。
【請求項６】
前記リチャージ総額に応じて予め定められた金額を前記換金不可バリューの残高に加算する特典管理部、
を備えることを特徴とする請求項５に記載の電子バリュー管理装置。
【請求項７】
前記記憶部は、前記ユーザごと、または前記ユーザの使用端末ごとに、前記換金可能バリューの残高と、前記換金不可バリューの残高と、前記換金可能バリューの残高を減算した回数を示すリチャージ回数と、が対応付けられた前記電子バリュー情報を記憶し、
前記投票管理部は、前記投票によって前記換金可能バリューの残高を減算した場合、前記リチャージ回数に対し１を加算する
ことを特徴とする請求項１から請求項４のうちいずれか一項に記載の電子バリュー管理装置。
【請求項８】
前記リチャージ回数に応じて予め定められた金額を前記換金不可バリューの残高に加算する特典管理部、
を備えることを特徴とする請求項７に記載の電子バリュー管理装置。
【請求項９】
コンピュータによる電子バリュー管理方法であって、
記憶部が、ユーザごと、または前記ユーザの使用端末ごとに、換金可能な電子バリューを示す換金可能バリューの残高と、換金不可能な前記電子バリューを示す換金不可バリューの残高と、が対応付けられた電子バリュー情報を記憶する記憶ステップと、
入金処理部が、前記ユーザによって入金された入金金額を示す入金情報を取得し、前記入金金額を前記換金不可バリューの残高に加算する入金処理ステップと、
投票管理部が、前記ユーザよる投票の投票金額を示す投票金額情報を取得し、前記投票金額を前記換金不可バリューの残高から減算する投票管理ステップと、
払戻管理部が、前記投票に対する払戻金額を示す払戻金額情報を取得し、前記払戻金額を、前記換金可能バリューの残高および前記換金不可バリューの残高のうち少なくとも一方に加算する払戻管理ステップと、
を有することを特徴とする電子バリュー管理方法。
【請求項１０】
コンピュータに、
ユーザごと、または前記ユーザの使用端末ごとに、換金可能な電子バリューを示す換金可能バリューの残高と、換金不可能な前記電子バリューを示す換金不可バリューの残高と、が対応付けられた電子バリュー情報を記憶する記憶ステップと、
前記ユーザによって入金された入金金額を示す入金情報を取得し、前記入金金額を前記換金不可バリューの残高に加算する入金処理ステップと、
前記ユーザよる投票の投票金額を示す投票金額情報を取得し、前記投票金額を前記換金不可バリューの残高から減算する投票管理ステップと、
前記投票に対する払戻金額を示す払戻金額情報を取得し、前記払戻金額を、前記換金可能バリューの残高および前記換金不可バリューの残高のうち少なくとも一方に加算する払戻管理ステップと、
を実行させるための電子バリュー管理プログラム。
【発明の詳細な説明】
【技術分野】
【０００１】
本発明は、電子バリュー管理装置、電子バリュー管理方法、および電子バリュー管理プログラムに関する。
【背景技術】
【０００２】
公営競技において投票を行う手段として、公営競技場の内外に設置された投票所窓口において投票を行う窓口投票のほか、インターネットから投票を行うインターネット投票、および電話で投票を行う電話投票などのような遠隔地からの投票を可能にする投票手段がある。インターネット投票や電話投票は、特に、投票所窓口が近隣に存在しない地域に住むユーザにとっては便利な投票手段であり、また、公営競技の主催者にとっては、当該公営競技のユーザ数の拡大およびユーザの継続的な参加を促すために有効な投票手段である。
一般的に、インターネット投票や電話投票を行うためには、ユーザは、銀行口座との紐付けを行った投票用口座をあらかじめ開設し、当該投票用口座を介して、投票、払戻、および精算に基づく入出金を行うことができるようにしておく必要がある。投票用口座の開設にあたっては、上述したように、当該投票用口座と銀行口座との紐付けを行うなどの事前手続きが必要であることから、例えば、新たに公営競技に興味を持ったユーザなどのような投票用口座を開設していないユーザが、もし投票をしたいと思っても、すぐには投票をすることができない。このような課題に対し、会員証（プリペイドカード）を利用することによって、投票用口座を開設しなくても投票を可能にする技術が知られている（例えば、特許文献１）。
【先行技術文献】
【特許文献】
【０００３】
【特許文献１】特許第２７１３２３７号公報
【発明の概要】
【発明が解決しようとする課題】
【０００４】
しかしながら、特許文献１に記載の発明では、投票に使用された電子バリューの残高と投票に使用されていない電子バリューの残高とを区別して管理することができないため、会員証（プリペイドカード）が購入され現金から電子バリューへ変換された後、投票が行われないまま再び電子バリューから現金への換金がなされる場合があるという課題がある。この場合、公営競技のユーザ数の拡大およびユーザの継続的な参加を促すことにつながらないだけでなく、不正行為（マネーロンダリング）を生む原因にもなる。
【０００５】
本発明は上記の点に鑑みてなされたものであり、ユーザの継続的な参加を促しつつ、電子バリューを用いた不正行為を防止することができる電子バリュー管理装置、電子バリュー管理方法、および電子バリュー管理プログラムを提供する。
【課題を解決するための手段】
【０００６】
本発明は上記の課題を解決するためになされたものであり、本発明の一態様としては、ユーザごと、または前記ユーザの使用端末ごとに、換金可能な電子バリューを示す換金可能バリューの残高と、換金不可能な前記電子バリューを示す換金不可バリューの残高と、が対応付けられた電子バリュー情報を記憶する記憶部と、前記ユーザによって入金された入金金額を示す入金情報を取得し、前記入金金額を前記換金不可バリューの残高に加算する入金処理部と、前記ユーザよる投票の投票金額を示す投票金額情報を取得し、前記投票金額を前記換金不可バリューの残高から減算する投票管理部と、前記投票に対する払戻金額を示す払戻金額情報を取得し、前記払戻金額を、前記換金可能バリューの残高および前記換金不可バリューの残高のうち少なくとも一方に加算する払戻管理部と、を備えることを特徴とする電子バリュー管理装置である。
【０００７】
また、本発明の一態様としては、上記の電子バリュー管理装置であって、前記払戻管理部は、前記払戻金額の少なくとも一部を前記換金可能バリューの残高に加算することを特徴とする。
【０００８】
また、本発明の一態様としては、上記の電子バリュー管理装置であって、前記払戻管理部は、前記払戻金額が前記投票金額より大きい場合、前記払戻金額と前記投票金額との差額を前記換金可能バリューの残高に加算し、かつ前記投票金額を前記換金不可バリューの残高に加算し、前記払戻金額が前記投票金額以下である場合、前記払戻金額を前記換金不可バリューの残高に加算することを特徴とする。
【０００９】
また、本発明の一態様としては、上記の電子バリュー管理装置であって、前記投票管理部は、前記投票金額が前記換金不可バリューの残高より大きい場合、前記投票金額と前記換金不可バリューの残高との差額を前記換金可能バリューの残高から減算し、前記差額を前記換金不可バリューの残高に加算することを特徴とする。
【００１０】
また、本発明の一態様としては、上記の電子バリュー管理装置であって、前記記憶部は、前記ユーザごと、または前記ユーザの使用端末ごとに、前記換金可能バリューの残高と、前記換金不可バリューの残高と、前記換金可能バリューの残高を減算した場合における減算した金額の累積値を示すリチャージ総額と、が対応付けられた前記電子バリュー情報を記憶し、前記投票管理部は、前記投票によって前記換金可能バリューの残高を減算した場合、減算した前記金額を前記リチャージ総額に加算することを特徴とする。
【００１１】
また、本発明の一態様としては、上記の電子バリュー管理装置であって、前記リチャージ総額に応じて予め定められた金額を前記換金不可バリューの残高に加算する特典管理部、を備えることを特徴とする。
【００１２】
また、本発明の一態様としては、上記の電子バリュー管理装置であって、前記記憶部は、前記ユーザごと、または前記ユーザの使用端末ごとに、前記換金可能バリューの残高と、前記換金不可バリューの残高と、前記換金可能バリューの残高を減算した回数を示すリチャージ回数と、が対応付けられた前記電子バリュー情報を記憶し、前記投票管理部は、前記投票によって前記換金可能バリューの残高を減算した場合、前記リチャージ回数に対し１を加算することを特徴とする。
【００１３】
また、本発明の一態様としては、上記の電子バリュー管理装置であって、前記リチャージ回数に応じて予め定められた金額を前記換金不可バリューの残高に加算する特典管理部、を備えることを特徴とする。
【００１４】
また、本発明の一態様としては、コンピュータによる電子バリュー管理方法であって、記憶部が、ユーザごと、または前記ユーザの使用端末ごとに、換金可能な電子バリューを示す換金可能バリューの残高と、換金不可能な前記電子バリューを示す換金不可バリューの残高と、が対応付けられた電子バリュー情報を記憶する記憶ステップと、入金処理部が、前記ユーザによって入金された入金金額を示す入金情報を取得し、前記入金金額を前記換金不可バリューの残高に加算する入金処理ステップと、投票管理部が、前記ユーザよる投票の投票金額を示す投票金額情報を取得し、前記投票金額を前記換金不可バリューの残高から減算する投票管理ステップと、払戻管理部が、前記投票に対する払戻金額を示す払戻金額情報を取得し、前記払戻金額を、前記換金可能バリューの残高および前記換金不可バリューの残高のうち少なくとも一方に加算する払戻管理ステップと、を有することを特徴とする電子バリュー管理方法である。
【００１５】
また、本発明の一態様としては、コンピュータに、ユーザごと、または前記ユーザの使用端末ごとに、換金可能な電子バリューを示す換金可能バリューの残高と、換金不可能な前記電子バリューを示す換金不可バリューの残高と、が対応付けられた電子バリュー情報を記憶する記憶ステップと、前記ユーザによって入金された入金金額を示す入金情報を取得し、前記入金金額を前記換金不可バリューの残高に加算する入金処理ステップと、前記ユーザよる投票の投票金額を示す投票金額情報を取得し、前記投票金額を前記換金不可バリューの残高から減算する投票管理ステップと、前記投票に対する払戻金額を示す払戻金額情報を取得し、前記払戻金額を、前記換金可能バリューの残高および前記換金不可バリューの残高のうち少なくとも一方に加算する払戻管理ステップと、を実行させるための電子バリュー管理プログラムである。
【発明の効果】
【００１６】
本発明によれば、ユーザの継続的な参加を促しつつ、電子バリューを用いた不正行為を防止することができる。
【図面の簡単な説明】
【００１７】
【図１】本発明の第１の実施形態における電子バリュー管理システムのシステム構成の概要を示す概略図である。
【図２】本発明の第１の実施形態における電子バリュー管理装置の機能構成を示すブロック図である。
【図３】本発明の第１の実施形態における電子バリュー管理装置によるユーザ登録処理および入金処理の概要を示す概略図である。
【図４】本発明の第１の実施形態における電子バリュー管理装置による投票指示処理の概要を示す概略図である。
【図５】本発明の第１の実施形態における電子バリュー管理装置による照会処理の概要を示す概略図である。
【図６】本発明の第１の実施形態における電子バリュー管理装置による精算指示処理の概要を示す概略図である。
【図７】本発明の第１の実施形態における電子バリュー管理装置が記憶する電子バリュー情報のテーブル構成を示す図である。
【図８】本発明の第１の実施形態における電子バリュー管理装置による電子バリューの管理の概要を示す概略図である。
【図９】本発明の第１の実施形態における電子バリュー管理装置による電子バリューの管理の概要を示す概略図である。
【図１０】本発明の第１の実施形態における電子バリュー管理装置の動作を示すフローチャートである。
【図１１】本発明の第２の実施形態における電子バリュー管理装置による電子バリューの管理の概要を示す概略図である。
【図１２】本発明の第２の実施形態における電子バリュー管理装置による電子バリューの管理の概要を示す概略図である。
【図１３】本発明の第２の実施形態における電子バリュー管理装置の動作を示すフローチャートである。
【発明を実施するための形態】
【００１８】
＜第１の実施形態＞
以下、本発明の第１の実施形態について説明する。
以下に説明する本実施形態における電子バリュー管理システム１は、公営競技（例えば、競馬、競輪、競艇、またはオートレースなど）において、電子バリューによるインターネット投票を可能にするシステムである。なお、本実施形態は一例であり、電子バリュー管理システム１はその他、例えば、カジノにおいて、電子バリューによるゲームへの賭け（ベット）を可能にするようなシステムであってもよい。
【００１９】
なお、電子バリューとは、金銭と同等に使える価値を持たせたデジタルデータである。電子バリューには、金融機関、クレジットカード会社、または電子バリューのサービス提供者などのホストコンピュータにおいて集中管理されるサーバ管理型の電子バリューや、磁気カードやＩＣカードなどに収納される電子バリュー、また、プリペイド（前払い）式の電子バリューや、ポストペイ（後払い）式の電子バリューなど、様々な種類の電子バリューがある。本実施形態においては、ユーザが、ギフトカード式のプリペイドカードを購入して利用登録をすることによってホストコンピュータ（本実施形態における電子バリュー管理装置１０）に電子バリューが入金され、当該ホストコンピュータにおいて集中管理されるサーバ管理型の電子バリューを例にして説明する。
【００２０】
本実施形態における電子バリュー管理システム１によれば、ユーザは、銀行口座と紐付けられた投票用口座の開設手続きを行わなくても、簡単なユーザ登録手続きのみを行うことで、当該ユーザ登録手続きによって生成される（銀行口座との紐付けを必要としない）簡易な電子バリューの入出金口座（以下、「ウォレット」と称する）を利用することができる。ユーザは、量販店（例えば、コンビニエンスストア、および家電量販店など）等で購入したプリペイドカードを用いてウォレットに電子バリューを入金（チャージ）することができ、当該電子バリューを用いて投票を行うことができる。また、ユーザは、投票に対して払い戻される的中払戻金に相当する価値（以下、「金額」とも称する）の電子バリューを、このウォレットによって受け取ることができる。
【００２１】
なお、本実施形態においては、プリペイドカード２５を用いて入金が行われるものとしたが、これに限られるものではなく、電子バリュー管理装置１０に対して電子バリューによる入金が可能な入金手段であるならば、その他の入金手段であってもよい。例えば、各種の電子マネーカード、クレジットカード、またはキャッシュカードなどを用いて電子バリューによる入金が行われるような構成であっても構わない。
【００２２】
なお、説明を簡略化するため、本実施形態においては、現金の金額と電子バリューの金額が同じならば、双方の価値は等しいものとする。すなわち、例えば、ユーザが１００００円相当のプリペイドカードを購入してウォレットに入金した場合には、ウォレット内の電子バリューの残高が１００００円分加算される。また、例えば、ユーザがウォレット内の電子バリューのうち１００００円分を精算した場合には、ウォレット内の電子バリューの残高が１００００円分減算され、（送金サービスを介して）１００００円分の現金として出金することができる。
【００２３】
なお、ユーザは、当該ユーザの銀行口座と紐付けられた投票用口座を開設して、ウォレットと当該投票用口座を紐付けるようにしてもよい。この場合、ユーザは、投票に対して払い戻される的中払戻金を、投票用口座に紐づけられたユーザの銀行口座に振り込ませることにより、受け取ることができる。なお、上述したように、投票用口座を開設しない場合には、ユーザは、投票に対して払い戻される的中払戻金を、送金サービスを利用して受け取ることができる。
【００２４】
また、本実施形態における電子バリュー管理システム１は、現金への換金が可能である電子バリュー（以下、「換金可能バリュー」と称する）と、現金への換金が不可能であり、投票用に用いられる電子バリュー（以下、「換金不可バリュー」と称する）と、を区別して管理することができる。
本実施形態においては、投票に使われる前の電子バリューは換金不可バリューであり、投票によって払い戻される電子バリューは全て換金可能バリューである。なお、換金可能バリューから換金不可バリューへの変換は任意に可能であるが、換金不可バリューから換金可能バリューへの変換はできない。
【００２５】
また、ユーザは、換金不可バリューを使って投票を行うことができるが、ウォレットに入金されている換金不可バリューの金額が投票金額に満たない場合には、換金不可バリューの金額が投票金額以上になるように、換金不可バリューの金額を増やす必要がある。ユーザは、新たにプリペイドカードを購入して電子バリューをさらに入金して換金不可バリューの金額を増やすことができるが、そのほか、ウォレットに入金されている換金可能バリューを換金不可バリューへ変換することにより換金不可バリューの金額を増やすこともできる。
【００２６】
本実施形態における電子バリュー管理装置１０が、現金への換金が不可能であり、投票用に用いられる換金不可バリューを管理することができるため、公営競技の主催者は、ウォレットに入金したユーザに対して積極的な投票を促すことができ、投票件数の増加による売上金額の拡大や、ユーザの定着化によるユーザ数の拡大などを図ることができる。また、本実施形態における電子バリュー管理装置１０が、換金不可バリューを管理することできるため、公営競技の主催者は、入金した電子バリューを即座に振り込んで資金の出所を分からなくさせるようなユーザによる不正行為（マネーロンダリング）の防止を図ることができる。
【００２７】
また、本実施形態における電子バリュー管理装置１０が、現金への換金が可能である換金可能バリューを管理することができるため、公営競技の主催者は、例えば、ユーザが、投票によって払い戻された換金可能バリューを、再び投票に使用するために換金不可バリューに変換した場合には、このようなユーザの継続的な投票に対して特典（インセンティブ）付与を行うような施策を実施することができる。これにより、公営競技の主催者は、投票件数の増加による売上金額の拡大や、ユーザの定着化によるユーザ数の拡大などを図ることができる。公営競技の主催者は、例えば、ユーザに対して、換金可能バリューから換金不可バリューへ変換された金額の累積値（以下に説明する「リチャージ総額」）等に応じて換金不可バリューを付与するなどのインセンティブ付与を行うような施策を実施することができる。
【００２８】
［電子バリュー管理システムのシステム構成］
以下、本実施形態における電子バリュー管理システム１のシステム構成について、図面を参照しながら説明する。
図１は、本発明の第１の実施形態における電子バリュー管理システム１のシステム構成の概要を示す概略図である。図１に図示するように、本実施形態における電子バリュー管理システム１は、電子バリュー管理装置１０と、電子バリュー流通サーバ２０と、プリペイドカード２５と、ユーザ端末３０と、投票サーバ４０と、金融機関サーバ５０と、を含んで構成される。
【００２９】
電子バリュー管理装置１０は、公営競技における投票に用いられる電子バリューを、ユーザ登録に応じて生成するウォレットごとに管理するサーバ装置である。電子バリュー管理装置１０は、コンピュータ装置、例えば、汎用コンピュータなどを含んで構成される。
電子バリュー管理装置１０は、電子バリュー流通サーバ２０、ユーザ端末３０、および投票サーバ４０と、それぞれ通信ネットワークを介して通信接続する。
なお、通信ネットワークは、インターネット、各種の閉域網（例えば、専用線、またはＶＰＮ（Ｖｉｒｔｕａｌ  Ｐｒｉｖａｔｅ  Ｎｅｔｗｏｒｋ；仮想専用ネットワーク）など）、またはそれらの通信ネットワークの組合せによって構成される。なお、通信ネットワークは、有線の通信ネットワークであってもよいし、一部または全部が無線の通信ネットワークであってもよい。
【００３０】
電子バリュー管理装置１０は、ユーザ端末３０から送信される各種の指示、例えば、入金指示、投票指示、および精算指示などを示す情報を取得する。また、電子バリュー管理装置１０は、入金指示を示す情報に基づいて、入金処理を実行する。また、電子バリュー管理装置１０は、投票指示および精算指示を示す情報に基づいて、投票サーバ４０に投票処理および精算処理を行わせるための情報を投票サーバ４０へ送信する。
なお、これらの処理の詳細については後述する。
なお、説明を簡略化するため、図１においては電子バリュー管理装置１０と通信接続するユーザ端末３０を１台のみしか記載していないが、電子バリュー管理装置１０は、複数のユーザ端末３０と通信接続することができる。
【００３１】
電子バリュー流通サーバ２０は、量販店で販売されるプリペイドカード２５に関する情報（以下に説明する「プリペイドカード情報」）を管理するサーバ装置である。電子バリュー流通サーバ２０は、コンピュータ装置、例えば、汎用コンピュータなどを含んで構成される。
電子バリュー流通サーバ２０は、電子バリュー管理装置１０、および量販店に備えられた販売システム（例えば、ＰＯＳ（Ｐｏｉｎｔ  Ｏｆ  Ｓａｌｅｓ；販売時点情報管理）システム（図示せず））と、それぞれ通信ネットワークを介して通信接続する。
なお、通信ネットワークは、インターネット、各種の閉域網（例えば、専用線、またはＶＰＮなど）、またはそれらの通信ネットワークの組合せによって構成される。なお、通信ネットワークは、有線の通信ネットワークであってもよいし、一部または全部が無線の通信ネットワークであってもよい。
【００３２】
電子バリュー流通サーバ２０は、量販店に備えられた販売システムから送信される、特定のプリペイドカード２５を有効化（アクティベート）する要求を示す情報を取得し、当該情報に基づいて、特定のプリペイドカード２５を有効化する処理を実行する。
また、電子バリュー流通サーバ２０は、電子バリュー管理装置１０から送信される、プリペイドカード２５に対応付けられたコード（以下に説明する「入金用番号」）を示す情報を取得し、当該コードに対応付けられたプリペイドカード２５の情報に基づいて、電子バリュー管理装置１０へ、ウォレットへの電子バリューの入金処理を行わせるための情報を送信する。
なお、これらの処理の詳細については後述する。
【００３３】
プリペイドカード２５は、公営競技における投票に用いられる電子バリューを、ウォレットへ入金するために用いられるカードであり、量販店（例えば、コンビニエンスストア、および家電量販店など）などにおいて販売される。
なお、上述したように、本実施形態においては、プリペイドカード２５を用いて入金が行われるものとしたが、これに限られるものではなく、電子バリューによる入金が可能であるならば、各種の電子マネーカード、クレジットカード、またはキャッシュカードなどが用いられてもよい。
【００３４】
ユーザ端末３０は、公営競技において投票を行うユーザの使用端末である。ユーザ端末３０は、携帯型の情報端末、例えば、スマートフォン、タブレット型端末、または携帯電話などの端末装置である。なお、ユーザ端末３０は、その他のコンピュータ装置、例えば、パーソナルコンピュータなどのコンピュータ装置であっても構わない。
ユーザ端末３０は、電子バリュー管理装置１０、および金融機関サーバ５０と、それぞれ通信ネットワークを介して通信接続する。
ユーザ端末３０は、ユーザによる操作に基づく操作入力を受け付け、当該操作入力に基づいて、各種の指示、例えば、入金指示、投票指示、および精算指示などを示す情報を、電子バリュー管理装置１０へ送信する。
なお、これらの処理の詳細については後述する。
【００３５】
投票サーバ４０は、公営競技における投票処理、払戻処理、および精算処理などを行うサーバ装置である。投票サーバ４０は、公営競技の主催者によって管理されるサーバ装置、例えばトータリゼータ・システムなどである。投票サーバ４０は、コンピュータ装置、例えば、汎用コンピュータなどを含んで構成される。
投票サーバ４０は、電子バリュー管理装置１０、および金融機関サーバ５０と、通信ネットワークを介して通信接続する。
なお、通信ネットワークは、インターネット、各種の閉域網（例えば、専用線、またはＶＰＮなど）、またはそれらの通信ネットワークの組合せによって構成される。なお、通信ネットワークは、有線の通信ネットワークであってもよいし、一部または全部が無線の通信ネットワークであってもよい。
【００３６】
投票サーバ４０は、電子バリュー管理装置１０から送信される情報に基づいて投票処理を実行する。また、投票サーバ４０は、投票結果に基づいて払戻処理を実行し、払戻金額を示す情報を電子バリュー管理装置１０へ送信する。また、投票サーバ４０は、電子バリュー管理装置１０から送信される情報に基づいて精算処理を実行し、精算金額を含む精算結果を示す情報を金融機関サーバ５０へ送信する。
なお、これらの処理の詳細については後述する。
【００３７】
金融機関サーバ５０は、金融機関によって管理されるサーバ装置である。金融機関サーバ５０は、銀行口座の口座情報を管理する。金融機関サーバ５０は、コンピュータ装置、例えば、汎用コンピュータなどを含んで構成される。金融機関サーバ５０は、投票サーバ４０と通信ネットワークを介して通信接続する。
金融機関サーバ５０は、投票サーバ４０から送信される精算金額を示す情報に基づいて、銀行口座の口座情報を更新する。これによりユーザは、精算された金額に相当する現金を出金することができる。
なお、これらの処理の詳細については後述する。
【００３８】
なお、本実施形態においては、電子バリュー管理システム１により、公営競技における電子バリューによるインターネット投票を実現する場合を一例として説明したが、上述したように、電子バリュー管理システム１は、カジノにおける電子バリューによる賭け（ベット）を実現するような場合にも適用することができる。この場合、投票サーバ４０は、カジノで行われている各ゲームを管理する（例えば、賭け（ベット）や払い戻しにおける処理などを実行する）サーバ装置である。そして、ユーザは、ユーザ端末３０により、対象のゲームに対して賭け（ベット）を行うことができるような構成となる。
【００３９】
［電子バリュー管理装置の機能構成］
以下、本実施形態における電子バリュー管理装置１０の機能構成について、図面を参照しながら説明する。
図２は、本発明の第１の実施形態における電子バリュー管理装置１０の機能構成を示すブロック図である。図示するように、電子バリュー管理装置１０は、記憶部１００と、入金処理部１０１と、投票管理部１０２と、払戻管理部１０３と、特典管理部１０４と、を含んで構成される。
【００４０】
記憶部１００は、電子バリュー管理装置１０によって行われる各種の処理において用いられるプログラムやデータ等を記憶する。また、記憶部１００は、電子バリュー管理装置１０によって行われる各種の処理において一時的に使用される一時記憶領域としても用いられる。記憶部１００は、記憶媒体、例えば、ＨＤＤ（Ｈａｒｄ  Ｄｉｓｋ  Ｄｒｉｖｅ；ハードディスクドライブ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ；イーイーピーロム）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、ＲＯＭ（Ｒｅａｄ  Ｏｎｌｙ  Ｍｅｍｏｒｙ；読み出し専用メモリ）、またはこれらの記憶媒体の任意の組み合わせによって構成される。
【００４１】
また、記憶部１００は、電子バリュー情報１０００を記憶する。
電子バリュー情報１０００は、ユーザごと、または当該ユーザが使用するユーザ端末３０ごとに、換金可能な電子バリューを示す換金可能バリューの残高と、換金不可能な電子バリューを示す換金不可バリューの残高と、換金可能バリューから換金不可バリューへ変換された金額の累積値を示すリチャージ総額と、が対応付けられた情報である。
【００４２】
入金処理部１０１は、ユーザによって入金された入金金額を示す入金情報を取得し、当該入金金額を、換金不可バリューの残高に加算する。
【００４３】
投票管理部１０２は、ユーザによる投票の投票金額を示す投票金額情報を取得し、当該投票金額が換金不可バリューの残高以下である場合、投票金額を換金不可バリューの残高から減算する。また、投票管理部１０２は、ユーザによる投票の投票金額を示す投票金額情報を取得し、当該投票金額が換金不可バリューの残高より大きい場合、投票金額と換金不可バリューの残高との差額を換金可能バリューの残高から減算し、当該投票金額と前記換金不可バリューの残高との差額を換金不可バリューの残高に加算し、かつ投票金額を換金不可バリューの残高から減算する。すなわち、投票管理部１０２は、当該投票金額が換金不可バリューの残高より大きい場合、換金可能バリューを換金不可バリューに変換することにより、換金不可バリュー残高が投票金額になるようにする（これにより、投票が可能になる）。
また、投票管理部１０２は、投票によって換金可能バリューの残高を減算した場合、減算した金額を（すなわち、換金可能バリューから換金不可バリューへ変換された金額を）リチャージ総額に加算する。
【００４４】
払戻管理部１０３は、投票に対する払戻金額を示す払戻金額情報を取得し、払戻金額を、換金可能バリューの残高に加算する。
特典管理部１０４は、リチャージ総額に応じて予め定められた金額を換金不可バリューの残高に加算する。
【００４５】
なお、上記の、換金可能バリューから換金不可バリューへ変換された金額の累積値を示す「リチャージ総額」の代わりに、換金可能バリューから換金不可バリューへ変換された回数を示す「リチャージ回数」の情報が用いられてもよい。
この場合、記憶部１００は、換金可能バリューの残高と、換金不可バリューの残高と、リチャージ回数と、が対応付けられた電子バリュー情報１０００を記憶する。
また、この場合、投票管理部１０２は、投票によって換金可能バリューの残高を減算した場合、リチャージ回数に対し１を加算する。
また、この場合、特典管理部１０４は、リチャージ回数に応じて予め定められた金額を換金不可バリューの残高に加算する。
【００４６】
なお、本実施形態においては、特典管理部１０４が行う処理に基づく特典付与は、リチャージ総額（または、リチャージ回数）に応じて予め定められた金額を換金不可バリューの残高に加算することによる特典付与であるものとしたが、これに限らない。特典管理部１０４が行う処理に基づく特典付与は、例えば、各種の電子マネーやポイントなどを進呈するような特典付与であってもよいし、景品や賞金を進呈するような特典付与であってもよい。
【００４７】
［ユーザ登録処理および入金処理］
以下、本実施形態における電子バリュー管理装置１０によるユーザ登録処理および入金処理について、図面を参照しながら説明する。
図３は、本発明の第１の実施形態における電子バリュー管理装置１０によるユーザ登録処理および入金処理の概要を示す概略図である。
【００４８】
まず、ユーザは、量販店（例えば、コンビニエンスストア、および家電量販店など）において販売されている、公営競技用のプリペイドカード２５を購入する。なお、量販店には、例えば、５０００円分の金額に相当する電子バリューをウォレットに入金できるプリペイドカード２５、および１００００円分の金額に相当する電子バリューをウォレットに入金できるプリペイドカード２５など、複数の種類のプリペイドカード２５が販売されている。
なお、プリペイドカードの表面に、上記の５０００円や１００００円などの金額が印字されているため、ユーザは、所望の金額分の電子バリューをウォレットに入金できるプリペイドカード２５を選ぶことができる。そして、ユーザは、量販店において、選んだプリペイドカード２５の販売価格に応じて支払いを行うことにより、当該プリペイドカード２５を購入することができる。
【００４９】
プリペイドカード２５には、プリペイドカード２５を一意に識別する識別子が対応付けられている。購入されたプリペイドカード２５の識別子は、量販店に備えられた販売システム（例えば、ＰＯＳシステム（図示せず））によって認識される。例えば、プリペイドカード２５の表面に、この識別子を示すバーコードが印刷されており、量販店の従業員が、当該プリペイドカード２５を販売する際に、販売システムが備えるバーコード読取機（図示せず）によって当該バーコードの読取を行う。これにより、販売システムは、販売したプリペイドカード２５を一意に識別する識別子を認識することができる。
量販店に備えられた販売システムは、認識した識別子を示す情報を、通信ネットワークを介して電子バリュー流通サーバ２０へ送信する。
【００５０】
また、プリペイドカード２５の表面には、ウォレットへの電子バリューの入金時に、ユーザによりユーザ端末３０において入力される入金用番号が印字されている。また、この入金用番号が印字されている部分は、例えば、爪やコインなどで擦ることにより剥がすことができる不透明のスクラッチインキで隠蔽されている。ユーザは、プリペイドカード２５を購入した後、このスクラッチインキを剥がすことによって、入金用番号を確認することができる。
【００５１】
なお、入金用番号がスクラッチインキによって隠蔽されているのは、第三者により不正な入金が行われることを防止するためである。なお、本実施形態においては、入金用番号がスクラッチインキによって隠蔽されているものとしたが、これに限られるものではなく、例えば、剥がすことができるシールによって入金用番号が隠蔽されているようにしたり、プリペイドカード２５が不透明の袋に封入されて販売されるようにしたりするなど、入金用番号を第三者が容易に知ることができないような仕組みになっていればよい。なお、入金用番号は、数字に限られるものではなく、アルファベット、記号、またはそれらの組合せであっても構わない。
【００５２】
電子バリュー流通サーバ２０は、量販店で販売されている各プリペイドカード２５にそれぞれ対応付けられた識別子と、各プリペイドカード２５によって入金される電子バリューの金額を示す情報と、各プリペイドカードに印字された入金用番号を示す情報と、各プリペイドカード２５が有効であるか無効であるかを示す情報と、が対応付けられたプリペイドカード情報を記憶している。
例えば、当該プリペイドカード情報のレコードの１つは、プリペイドカード２５を一意に識別する識別子である「ａｂｃｄｅｆｇ０１２３」と、入金される電子バリューの金額を示す情報である「５０００」と、入金用番号を示す情報「１２３４５６７８」と、プリペイドカード２５が無効であることを示す情報である「０」という値によって構成されている。
【００５３】
電子バリュー流通サーバ２０は、販売されたプリペイドカード２５に対応付けられた識別子を示す情報を、量販店に備えられた販売システムから通信ネットワークを介して取得すると、自己の電子バリュー流通サーバ２０が記憶するプリペイドカード情報を参照し、当該識別子が対応付けられたレコードを検索する。そして、電子バリュー流通サーバ２０は、検索されたレコードに対応付けられた、プリペイドカード２５が有効であるか無効であるかを示す情報を、無効であることを示す値から有効であることを示す値へ更新する。これにより、販売されたプリペイドカード２５は有効化される。
なお、ユーザによって購入される前の全てのプリペイドカード２５は、無効化された状態となっており、購入された際に上記のプリペイドカード情報の更新が行われることによって有効化される。
【００５４】
例えば、電子バリュー流通サーバ２０は、量販店に備えられた販売システムから「ａｂｃｄｅｆｇ０１２３」という（プリペイドカード２５を識別する）識別子を示す情報を取得すると、プリペイドカード情報において「ａｂｃｄｅｆｇ０１２３」という識別子が対応付けられたレコードを検索し、検索されたレコードに対応付けられた、プリペイドカード２５が有効であるか無効であるかを示す情報を、無効であることを示す「０」という値から、有効であることを示す「１」という値へ更新する。
【００５５】
ユーザは、プリペイドカード２５を購入した後、プリペイドカード２５に塗布されたスクラッチインキを剥がして入金用番号を確認する。そして、ユーザは、ユーザ端末３０を用いて、電子バリュー管理装置１０へ通信接続し、当該電子バリュー管理装置１０が通信ネットワークを介して公開するサイトである電子バリュー管理サイト（図示せず）にアクセスする。
ユーザは、電子バリュー管理サイトにおいて、ユーザ登録、ログイン、入金指示、公営競技における投票指示、電子バリューの残高照会、および電子バリューの精算指示などを行うことができる。
【００５６】
ユーザは、電子バリュー管理サイトの初回利用時に、簡単なユーザ登録をする必要がある。例えば、ユーザが、電子バリュー管理サイトに対してメールアドレスを登録することにより、電子バリュー管理装置１０によってユーザ登録処理がなされ、当該電子バリュー管理サイトにログインして利用するために必要となるログインＩＤ（Ｉｄｅｎｔｉｆｉｅｒ；識別子）とパスワードとが当該ユーザに対して発行される。
【００５７】
なお、電子バリュー管理サイトに対してメールアドレスの登録が行われる代わりに、ユーザ端末３０を識別する識別子である端末識別子の登録が行われることによって、当該電子バリュー管理サイトを利用するために必要となるログインＩＤとパスワードとが当該ユーザ端末３０に対して発行されるような構成あってもよい。
電子バリュー管理サイトにおいてユーザ登録がなされると、電子バリュー管理装置１０は、登録されたユーザに対応付けられたウォレットを生成し、電子バリュー情報１０００に登録する。
【００５８】
ユーザは、発行されたログインＩＤとパスワードとを用いて電子バリュー管理サイトにログインすることにより、電子バリューの入金を行うことができる。ユーザは、ユーザ端末３０に表示させた電子バリュー管理サイトにおいて、電子バリューの入金を行う際、購入したプリペイドカード２５に印字された入金用番号を入力する。入力された入金用番号を示す情報は、ユーザ端末３０から通信ネットワークを介して電子バリュー管理装置１０へ送信される。
【００５９】
電子バリュー管理装置１０は、ユーザ端末３０から入金用番号を示す情報を取得すると、通信ネットワークを介して電子バリュー流通サーバ２０と通信接続し、当該入金用番号が対応付けられたプリペイドカード２５が有効化されているか否かを確認する。
具体的には、電子バリュー管理装置１０は、ユーザ端末３０から取得した入金用番号を示す情報を、通信ネットワークを介して電子バリュー流通サーバ２０へ送信する。電子バリュー流通サーバ２０は、電子バリュー管理装置１０から、入金用番号を示す情報を取得すると、プリペイドカード情報を参照して、当該入金用番号が対応付けられたレコードを検索する。電子バリュー流通サーバ２０は、検索されたレコードに対応付けられた、プリペイドカード２５が有効であるか無効であるかを示す情報と、プリペイドカード２５によって入金される電子バリューの金額を示す情報と、を参照する。
【００６０】
電子バリュー流通サーバ２０は、検索されたレコードに対応付けられた、プリペイドカード２５が有効であるか無効であるかを示す情報が、有効であることを示す値（例えば、「１」）であった場合、例えば、当該レコードの消し込む消込処理を実行する（これにより、電子バリュー流通サーバ２０は、使用済みのプリペイドカード２５と未使用のプリペイドカード２５とを区別して管理することができる）。
そして、電子バリュー流通サーバ２０は、検索されたレコードに対応付けられた、プリペイドカード２５が有効であるか無効であるかを示す情報が、有効であることを示す値であった場合、当該有効であることを示す情報（例えば、「１」）と、プリペイドカード２５によって入金される電子バリューの金額を示す情報（例えば、「５０００」）と、を、通信ネットワークを介して電子バリュー管理装置１０へ送信する。
【００６１】
なお、電子バリュー流通サーバ２０は、検索されたレコードに対応付けられた、プリペイドカード２５が有効であるか無効であるかを示す情報が、無効であることを示す値（例えば、「０」）であった場合、プリペイドカード２５が無効であることを示す情報（例えば、「０」）を、電子バリュー管理装置１０へ送信する。
【００６２】
電子バリュー管理装置１０は、電子バリュー流通サーバ２０から、プリペイドカード２５が有効であることを示す情報（例えば、「１」）と、プリペイドカード２５によって入金される電子バリューの金額を示す情報（例えば、「５０００」）と、を取得した場合、電子バリュー管理サイトにログインしているユーザに対応付けられたウォレットにおける電子バリューの残高に、取得した情報に基づく電子バリューの金額（例えば、「５０００」）を加算する入金処理を実行する。
【００６３】
なお、電子バリュー管理装置１０は、ウォレットにおいて、電子バリューを、換金可能な電子バリューである換金可能バリューと、換金不可能な電子バリューである換金不可バリューと、に区別して管理している。上記の入金処理においては、電子バリュー管理装置１０は、当該ウォレットにおける換金不可バリューの残高に対して、プリペイドカード２５によって入金される電子バリューの金額を加算する。
【００６４】
なお、電子バリュー管理装置１０は、電子バリュー流通サーバ２０から、プリペイドカード２５が無効であることを示す情報（例えば、「０」）を取得した場合、取得した入金用番号に対応付けられたプリペイドカード２５が無効であることを提示する画面を示す情報を生成し、当該情報を、通信ネットワークを介してユーザ端末３０へ送信する。そして、ユーザ端末３０の表示部（図示せず）に、当該ユーザ端末３０において入力された入金用番号に対応付けられたプリペイドカード２５が無効であることを示す画面が表示されることにより、ユーザは、当該プリペイドカード２５が無効であることを認識することができる。
【００６５】
［投票指示処理］
以下、本実施形態における電子バリュー管理装置１０による投票指示処理について、図面を参照しながら説明する。
図４は、本発明の第１の実施形態における電子バリュー管理装置１０による投票指示処理の概要を示す概略図である。
【００６６】
ユーザは、ユーザ端末３０を用いて、電子バリュー管理装置１０へ通信接続し、当該電子バリュー管理装置１０が通信ネットワーク（例えば、インターネット）を介して公開する電子バリュー管理サイトにアクセスする。
ユーザは、電子バリュー管理サイトにログインし、公営競技における投票を行うための投票入力画面を表示させるための操作を行う。電子バリュー管理サイトは、投票サーバ４０とシステム連携しており、投票サーバ４０によって生成される投票入力画面がユーザ端末３０に表示される。
【００６７】
ユーザ端末３０に表示された投票入力画面において、ユーザが、投票のための入力を行うと、投票内容を示す情報および投票に用いられる電子バリューの金額を示す情報を含む投票指示を示す情報が、ユーザ端末３０から通信ネットワークを介して電子バリュー管理装置１０へ送信される。
【００６８】
なお、本実施形態においては、投票サーバ４０によって投票入力画面が生成されるものとしたが、これに限られるものではなく、投票入力画面は、ユーザ端末３０において（例えば、ユーザ端末３０に搭載された投票用のアプリケーションなどによって）生成されるような構成であってもよいし、電子バリュー管理装置１０によって生成されるような構成であってもよい。
【００６９】
電子バリュー管理装置１０は、ユーザ端末３０から送信された投票指示を示す情報を取得する。電子バリュー管理装置１０は、ユーザまたは当該ユーザが使用するユーザ端末３０に対応付けられたウォレットにおける換金不可バリューの残高から、取得した投票指示を示す情報に基づく、投票に用いられる電子バリューの金額を減算する。そして、電子バリュー管理装置１０は、取得した投票指示を示す情報に基づく投票内容、および取得した投票指示を示す情報に基づく電子バリューの金額に基づく情報を、通信ネットワークを介して投票サーバ４０へ送信する。
【００７０】
投票サーバ４０は、電子バリュー管理装置１０から送信された投票指示を示す情報を取得すると、当該情報に基づく投票内容、および当該情報に基づく電子バリューの金額に基づいて、投票処理を実行する。
【００７１】
なお、ウォレットにおける換金不可バリューの残高が、投票に用いられる電子バリューの金額に満たない場合には、不足分の金額を、当該ウォレットにおける換金可能バリューの残高から減算し、当該不足分の金額を、換金不可バリューの残高に加算する（すわなち、不足分の金額が、換金可能バリューから換金不可バリューへ変換される）。
【００７２】
なお、ウォレットにおける換金可能バリューの残高が、上記の不足分の金額に満たない場合には、投票指示処理は行われない。この場合、電子バリュー管理装置１０は、例えば、電子バリューの残高が不足していること提示する画面を示す情報を生成し、当該情報を、通信ネットワークを介してユーザ端末３０へ送信する。そして、ユーザ端末３０の表示部（図示せず）に、当該電子バリューの残高が不足していること提示する画面が表示されることにより、ユーザは、ウォレットにおいて、電子バリューの残高が不足していることを認識することができる。
【００７３】
［照会処理］
以下、本実施形態における電子バリュー管理装置１０による照会処理について、図面を参照しながら説明する。
図５は、本発明の第１の実施形態における電子バリュー管理装置１０による照会処理の概要を示す概略図である。
【００７４】
ユーザは、ユーザ端末３０を用いて、電子バリュー管理装置１０へ通信接続し、当該電子バリュー管理装置１０が通信ネットワーク（例えば、インターネット）を介して公開する電子バリュー管理サイトにアクセスする。
ユーザは、電子バリュー管理サイトにログインし、ウォレットにおける電子バリューの残高を照会するための照会画面を表示させるための操作を行う。ユーザ端末３０は、当該操作に基づいて、電子バリューの残高の照会指示を示す情報を、通信ネットワークを介して電子バリュー管理装置１０へ送信する。
【００７５】
電子バリュー管理装置１０は、ユーザ端末３０から送信された、電子バリューの残高の照会指示を示す情報を取得したことを契機に、投票サーバ４０に対して、的中払戻金の有無についての照会を行う照会処理を実行する。
なお、ここでは、電子バリューの残高の照会指示を示す情報を取得したことを契機に、照会処理を実行するものとしたが、これに限られない。電子バリュー管理装置１０は、例えば、定期的（例えば、１時間毎、あるいは1日毎など）に、照会処理を実行するようにしてもよい。
【００７６】
電子バリュー管理装置１０は、照会処理を行った結果、的中払戻金があることを認識した場合、当該的中払戻金に相当する金額を、ウォレットにおける換金可能バリューの残高に加算する。これにより、投票に対する的中払戻金が、換金可能バリューとして払い戻される。
【００７７】
［精算指示処理］
以下、本実施形態における電子バリュー管理装置１０による精算指示処理について、図面を参照しながら説明する。
図６は、本発明の第１の実施形態における電子バリュー管理装置１０による精算指示処理の概要を示す概略図である。
【００７８】
ユーザは、ユーザ端末３０を用いて、電子バリュー管理装置１０へ通信接続し、当該電子バリュー管理装置１０が通信ネットワーク（例えば、インターネット）を介して公開する電子バリュー管理サイトにアクセスする。
ユーザは、電子バリュー管理サイトにログインし、ウォレットにおける換金可能バリューを精算するための精算指示画面を表示させるための操作を行う。
【００７９】
なお、ユーザは、自身が保有する銀行口座に紐づけられた投票用口座へ精算金を入金させるか、または、主催者が保有する銀行口座に精算金を送金させるか（すなわち、送金サービスを利用するか）を選ぶことができる。ユーザは、ユーザ端末３０の表示部（図示せず）に表示された精算指示画面において、所望の方法による精算処理を行わせるための操作を行う。
ユーザ端末３０は、当該操作に基づいて、精算指示を示す情報を、通信ネットワークを介して電子バリュー管理装置１０へ送信する。
【００８０】
電子バリュー管理装置１０は、ユーザ端末３０から送信された、精算指示を示す情報を取得すると、当該情報から、投票用口座へ精算金を入金することにより精算を行う精算指示であるか、または、主催者が保有する銀行口座へ精算金を送金することにより精算を行う（すなわち、送金サービスを介して精算を行う）精算指示であるかを認識する。
【００８１】
電子バリュー管理装置１０は、ユーザに対応付けられたウォレットにおける換金可能バリューの残高から、精算指示を示す情報に基づく精算金額を減算する。
なお、換金可能バリューの残高が、精算指示を示す情報に基づく精算金額に満たない場合には、上記の減算は行われず、精算処理が行われない。この場合、電子バリュー管理装置１０は、例えば、換金可能バリューの残高が不足していることを提示する画面を示す情報を生成し、当該情報を、通信ネットワークを介してユーザ端末３０へ送信する。そして、ユーザ端末３０の表示部（図示せず）に、当該情報に基づく画面が表示されることにより、ユーザは、ウォレットにおいて、換金可能バリューの残高が不足していることを認識することができる。
【００８２】
電子バリュー管理装置１０が取得した情報に基づく精算指示が、投票用口座へ精算金を入金することにより精算を行うための精算指示である場合、電子バリュー管理装置１０は、精算金額と、ウォレットに対応付けられた投票用口座を示す情報と、を含む口座入金指示情報を、投票サーバ４０へ送信する。
投票サーバ４０は、電子バリュー管理装置１０から送信された口座入金指示情報を取得すると、当該口座入金指示情報に基づく投票用口座において、当該口座入金指示情報に基づく精算金額の精算を行う精算処理を実行する。当該精算処理により、精算金額および投票用口座に対応付けられた（ユーザの）銀行口座を示す情報を含む情報が、投票サーバ４０から金融機関サーバ５０へ送信される。
金融機関サーバ５０は、投票サーバ４０から送信された情報を取得すると、当該情報に基づく精算金額を、当該情報に基づく銀行口座へ入金する。これにより、ユーザは、自身が保有する銀行口座から精算金を出金することができる。
【００８３】
また、電子バリュー管理装置１０が取得した情報に基づく精算指示が、主催者が保有する銀行口座へ精算金を送金することにより精算を行うための精算指示である場合（すなわち、送金サービスを介して精算を行うための精算指示である場合）、電子バリュー管理装置１０は、精算金額と、ウォレットに対応付けられた、主催者が保有する銀行口座を示す情報と、を含む送金指示情報を、送金サーバ６０へ送信する。
なお、送金サーバ６０は、電子バリュー管理装置１０から取得した送金指示情報に基づいて、金融機関サーバ５０において管理される、主催者が保有する銀行口座へ精算金を送金する送金サービスを提供するサーバ装置である。送金サーバ６０は、コンピュータ装置、例えば、汎用コンピュータなどを含んで構成される。
【００８４】
送金サーバ６０は、電子バリュー管理装置１０から送信された送金指示情報を取得すると、当該送金指示情報に基づく、主催者が保有する銀行口座へ精算金を送金する送金処理を実行する。当該送金処理により、精算金額および主催者が保有する銀行口座を示す情報を含む情報が、送金サーバ６０から金融機関サーバ５０へ送信される。
金融機関サーバ５０は、送金サーバ６０から送信された情報を取得すると、当該情報に基づく送金金額を、当該情報に基づく銀行口座へ送金する。これにより、ユーザは、（送金サービスを利用することにより）主催者が保有する銀行口座から精算金を出金することができる。
なお、ユーザは、この送金サービスを利用することにより、銀行口座と紐付けられた投票用口座の開設手続きを行わなくても、精算金を出金することができる。
【００８５】
［電子バリュー情報のテーブル構成］
以下、本実施形態における電子バリュー管理装置１０が記憶する電子バリュー情報１０００のテーブル構成について、図面を参照しながら説明する。
図７は、本発明の第１の実施形態における電子バリュー管理装置１０が記憶する電子バリュー情報１０００のテーブル構成を示す図である。
【００８６】
図示するように、電子バリュー情報１０００は、「ログインＩＤ」と、「換金不可バリュー残高」と、「換金可能バリュー残高」と、「リチャージ総額」と、の４つの項目の列からなる２次元の表形式のデータである。
【００８７】
「ログインＩＤ」の項目の列には、上述したように、公営競技において投票を行うユーザを識別するＩＤ（識別子）を示す情報が格納されている。図示するように、「ログインＩＤ」の項目の値として、例えば、「０００１」、および「０００２」という値が格納されている。
なお、「ログインＩＤ」の項目の列には、上述したように、公営競技において投票を行うユーザが使用するユーザ端末３０を識別するＩＤ（識別子）を示す情報が格納されているような構成であってもよい。
【００８８】
「換金不可バリュー残高」の項目の列には、「ログインＩＤ」に対応付けられたユーザが保有する、換金が不可能な電子バリューである換金不可バリューの残高を示す情報が格納されている。図示するように、「換金不可バリュー残高」の項目の値として、例えば、「１００００」、および「２０００」という値が格納されている。図示するように、例えば、値が「０００１」である「ログインＩＤ」に対応付けられた「換金不可バリュー残高」の項目の値は「１００００」であるが、これは、値が「０００１」であるユーザが保有する換金不可バリューの残高が「１００００」である（例えば、現金１００００円分に相当する金額の換金不可バリューの残高がある）ことを示す。
なお、「換金不可バリュー残高」の項目の列には、「ログインＩＤ」に対応付けられたユーザ端末３０を使用するユーザが保有する換金不可バリューの残高を示す情報が格納されているような構成であってもよい。
【００８９】
「換金可能バリュー残高」の項目の列には、「ログインＩＤ」に対応付けられたユーザが保有する、換金が可能な電子バリューである換金可能バリューの残高を示す情報が格納されている。図示するように、「換金可能バリュー残高」の項目の値として、例えば、「０」、および「５５００」という値が格納されている。図示するように、例えば、値が「０００２」である「ログインＩＤ」に対応付けられた「換金可能バリュー残高」の項目の値は「５５００」であるが、これは、値が「０００２」であるユーザが保有する換金可能バリューの残高が「５５００」である（例えば、現金５５００円分に相当する金額の換金可能バリューの残高がある）ことを示す。
なお、「換金可能バリュー残高」の項目の列には、「ログインＩＤ」に対応付けられたユーザ端末３０を使用するユーザが保有する換金可能バリューの残高を示す情報が格納されているような構成であってもよい。
【００９０】
「リチャージ総額」の項目の列には、「ログインＩＤ」に対応付けられたユーザの、リチャージ総額を示す情報が格納されている。リチャージ総額とは、上述したように、ユーザが投票等を行うために換金可能バリューを換金不可バリューに変換した金額の累積値を示す。
図示するように、「リチャージ総額」の項目の値として、例えば、「０」、および「１５００」という値が格納されている。図示するように、例えば、値が「０００２」である「ログインＩＤ」に対応付けられた「リチャージ総額」の項目の値は「１５００」であるが、これは、値が「０００２」であるユーザが保有するリチャージ総額が「１５００」である（例えば、当該ユーザが、累計して現金１５００円分に相当する金額分の、換金可能バリューから換金不可バリューへの変換を行った）ことを示す。
なお、「リチャージ総額」の項目の列には、「ログインＩＤ」に対応付けられたユーザ端末３０を使用するユーザのリチャージ総額を示す情報が格納されているような構成であってもよい。
【００９１】
なお、電子バリュー情報１０００の各レコードは、各ユーザ、または当該各ユーザが使用するユーザ端末３０に対応付けられたウォレットを表す。すなわち、図７に図示するように、「ログインＩＤ」の項目の値が「０００２」であるレコードは、「０００２」のログインＩＤに対応付けられたユーザ、または当該ユーザが使用するユーザ端末３０に対応付けられたウォレットを表す。そして、図７に図示するように、当該ウォレットにおいて、換金不可バリューの残高は「１００００」であり、換金可能バリューの残高は「５５００」であり、および、リチャージ総額は「１５００」である。
【００９２】
［電子バリューの管理］
以下、本実施形態における電子バリュー管理装置１０による電子バリューの管理について、図面を参照しながら説明する。
図８乃至図９は、本発明の第１の実施形態における電子バリュー管理装置１０による電子バリューの管理の概要を示す概略図である。
以下、「０００１」のログインＩＤに対応付けられたユーザ、または当該ユーザが使用するユーザ端末３０に対応付けられたウォレットにおける、電子バリュー管理装置１０による電子バリューの管理の一例について説明する。
【００９３】
図８は、ユーザが、１００００円分を入金し、５０００円分の投票を行い、３５００円分の的中払戻金を獲得した場合における例を示す。以下に、詳しく説明する。
まず、新規に生成されたウォレットにおいては、換金不可バリュー残高、換金可能バリュー残高、およびリチャージ総額は、いずれも「０」である。このウォレットに対して、プリペイドカード２５などにより、現金１００００円分に相当する金額の電子バリューが入金されると、図８（ａ）に図示するように、換金不可バリュー残高が「１００００」となる。
【００９４】
次に、ユーザによる投票指示に基づいて、５０００円の投票金額の投票が行われると、図８（ｂ）に図示するように、換金不可バリュー残高から当該投票金額が減算され、換金不可バリュー残高が「５０００」となる。
次に、上記の投票に対する的中払戻金として、３５００円の払戻金額の払い戻しが行われると、図８（ｃ）に図示するように、換金可能バリュー残高に対し当該払戻金額が加算され、換金可能バリュー残高が「３５００」となる。
【００９５】
図９は、図８を参照して上記説明した、入金、投票、および払戻に続いて、ユーザが、７０００円分の投票を行い、９０００円分の的中払戻金を獲得した場合における例を示す。以下に、詳しく説明する。
まず、図９（ａ）に図示するように、換金不可バリュー残高、換金可能バリュー残高、およびリチャージ総額は、それぞれ「５０００」、「３５００」、および「０」である。
【００９６】
次に、ユーザによる投票指示に基づいて、７０００円の投票金額の投票指示がなされた場合、投票に使用することができる換金不可バリュー残高が「５０００」であり、投票金額に満たないため、このままでは投票を行うことができない。
そこで、不足分の金額である２０００円分が、換金可能バリューから換金不可バリューへ変換される。これにより、図９（ｂ）に図示するように、換金可能バリュー残高から不足分の金額である２０００円が減算され、換金可能バリュー残高が「１５００」となる。また、図９（ｂ）に図示するように、換金不可バリュー残高に対して不足分の金額である２０００円が加算され、換金可能バリュー残高が「７０００」となる。
また、２０００円分の換金可能バリューが換金不可バリューへ変換されたことから、図９（ｂ）に図示するように、リチャージ総額に対して２０００円が加算され、リチャージ総額が「２０００」となる。
【００９７】
そして、ユーザによる投票指示に基づき、７０００円の投票金額の投票が行われると、図８（ｃ）に図示するように、換金不可バリュー残高から当該投票金額が減算され、換金不可バリュー残高が「０」となる。
次に、上記の投票に対する的中払戻金として、９０００円の払戻金額の払い戻しが行われると、図８（ｄ）に図示するように、換金可能バリュー残高に対し当該払戻金額が加算され、換金可能バリュー残高が「１０５００」となる。
【００９８】
［電子バリュー管理装置の動作］
以下、本実施形態における電子バリュー管理装置１０の動作について、図面を参照しながら説明する。
図１０は、本発明の第１の実施形態における電子バリュー管理装置１０の動作を示すフローチャートである。本フローチャートは、ユーザ端末３０から電子バリュー管理装置１０へ、ユーザによる投票の投票金額を示す投票金額情報を含む、投票指示を示す情報が送信された際に開始する。
【００９９】
（ステップＳ００１）電子バリュー管理装置１０の投票管理部１０２は、ユーザ端末３０から送信された、投票指示を示す情報を取得する。投票管理部１０２は、当該情報に含まれる、ユーザによる投票の投票金額を示す投票金額情報を取得する。その後、ステップＳ００２へ進む。
【０１００】
（ステップＳ００２）電子バリュー管理装置１０の投票管理部１０２は、ステップＳ００１において取得した投票金額情報に基づく投票金額が、換金不可バリュー残高と換金可能バリュー残高とを合計した値以下であるか否かを判定する。
なお、本フローチャートにおいて、これ以下に説明する「換金不可バリュー残高」および「換金可能バリュー残高」は、投票を行うユーザ、または当該ユーザが使用するユーザ端末３０に対応付けられたウォレットにおける、換金不可バリュー残高および換金可能バリュー残高を示す。
上記投票金額が、換金不可バリュー残高と換金可能バリュー残高とを合計した値以下である場合、ステップＳ００５へ進む。そうでない場合（すなわち、上記投票金額が、換金不可バリュー残高と換金可能バリュー残高とを合計した値より大きい場合）、ステップＳ００３へ進む。
【０１０１】
（ステップＳ００３）電子バリュー管理装置１０の入金処理部１０１が、電子バリュー流通サーバ２０から送信された、ユーザによって入金された電子バリューの入金金額を示す入金情報を取得した場合、ステップＳ００４へ進む。そうでない場合、ステップＳ００３に留まる。
【０１０２】
（ステップＳ００４）電子バリュー管理装置１０の入金処理部１０１は、ステップＳ００３において取得した入金情報に基づく、当該入金金額を、換金不可バリューの残高に加算する入金処理を実行する。その後、ステップＳ００２へ戻る。
【０１０３】
（ステップＳ００５）電子バリュー管理装置１０の投票管理部１０２は、ステップＳ００１において取得した投票金額情報に基づく投票金額が、換金不可バリュー残高以下であるか否かを判定する。
上記投票金額が、換金不可バリュー残高以下である場合、ステップＳ００６へ進む。そうでない場合（すなわち、上記投票金額が、換金不可バリュー残高より大きい場合）、ステップＳ００８へ進む。
【０１０４】
（ステップＳ００６）電子バリュー管理装置１０の投票管理部１０２は、投票金額から換金不可バリュー残高を差し引いた差額を計算する。その後、ステップＳ００７へ進む。
【０１０５】
（ステップＳ００７）電子バリュー管理装置１０の投票管理部１０２は、換金可能バリュー残高から、ステップＳ００６において計算した差額を減算する。その後、ステップＳ００８へ進む。
【０１０６】
（ステップＳ００８）電子バリュー管理装置１０の投票管理部１０２は、ステップＳ００６において計算した差額を、換金不可バリュー残高に加算する。その後、ステップＳ００９へ進む。
【０１０７】
（ステップＳ００９）電子バリュー管理装置１０の投票管理部１０２は、ステップＳ００６において計算した差額を、リチャージ総額に加算する。その後、ステップＳ０１０へ進む。
【０１０８】
（ステップＳ０１０）電子バリュー管理装置１０の投票管理部１０２は、換金不可バリュー残高から投票金額を減算する。その後、ステップＳ０１１へ進む。
【０１０９】
（ステップＳ０１１）電子バリュー管理装置１０の投票管理部１０２は、ステップＳ００１において取得した投票指示を示す情報に基づく投票内容、およびステップＳ００１において取得した投票指示を示す情報に基づく投票金額に基づく情報を、通信ネットワークを介して投票サーバ４０へ送信する投票指示処理を実行する。その後、ステップＳ０１２へ進む。
【０１１０】
（ステップＳ０１２）電子バリュー管理装置１０の払戻管理部１０３は、ユーザ端末３０から送信された、電子バリューの残高の照会指示を示す情報を取得したことを契機に、投票サーバ４０に対して、的中払戻金の有無についての照会を行う照会処理を実行する。その後、ステップＳ０１３へ進む。
なお、上述したように、ここでは、電子バリューの残高の照会指示を示す情報を取得したことを契機に照会処理を実行するものとしたが、これに限られない。電子バリュー管理装置１０は、例えば、定期的に（例えば、１時間ごとに）、照会処理を実行するようにしてもよい。
【０１１１】
（ステップＳ０１３）電子バリュー管理装置１０の払戻管理部１０３が、ステップＳ０１２において実行した照会処理を行った結果、的中払戻金があることを認識した場合、ステップＳ０１４へ進む。そうでない場合、本フローチャートの処理が終了する。
【０１１２】
（ステップＳ０１４）電子バリュー管理装置１０は、的中払戻金に相当する払戻金額を、換金可能バリュー残高に加算する。
以上で、本フローチャートの処理が終了する。
【０１１３】
＜第２の実施形態＞
以下、本発明の第２の実施形態について説明する。
なお、第２の実施形態における、電子バリュー管理システムのシステム構成、電子バリュー管理装置の機能構成、および電子バリュー情報１０００のテーブル構成は、上述した、第１の実施形態における、電子バリュー管理システム１のシステム構成、電子バリュー管理装置１０の機能構成、および電子バリュー情報１０００のテーブル構成とそれぞれ同一であるため、同一の符号を付し、説明を省略する。
【０１１４】
第２の実施形態における、電子バリュー管理システム１においては、的中払戻金の払い戻しに基づいて払戻管理部１０３よって行われる処理が、上述した第１の実施形態とは異なる。
上述した第１の実施形態においては、払戻管理部１０３は、投票に対する払戻金額を示す払戻金額情報を取得し、払戻金額を、換金可能バリューの残高に加算する。
一方、第２の実施形態においては、投票に対する払戻金額を示す払戻金額情報を取得し、払戻金額が投票金額より大きい場合、払戻管理部１０３は、払戻金額と投票金額との差額を換金可能バリューの残高に加算し、かつ投票金額を換金不可バリューの残高に加算する。また、払戻金額が投票金額以下である場合、払戻管理部１０３は、払戻金額を換金不可バリューの残高に加算する。
【０１１５】
［電子バリューの管理］
以下、本実施形態における電子バリュー管理装置１０による電子バリューの管理について、図面を参照しながら説明する。
図１１乃至図１２は、本発明の第２の実施形態における電子バリュー管理装置１０による電子バリューの管理の概要を示す概略図である。
以下、「０００１」のログインＩＤに対応付けられたユーザ、または当該ユーザが使用するユーザ端末３０に対応付けられたウォレットにおける、電子バリュー管理装置１０による電子バリューの管理の一例について説明する。
【０１１６】
図１１は、ユーザが、１００００円分を入金し、５０００円分の投票を行い、３５００円分の的中払戻金を獲得した場合における例を示す。以下に、詳しく説明する。
まず、新規に生成されたウォレットにおいては、換金不可バリュー残高、換金可能バリュー残高、およびリチャージ総額は、いずれも「０」である。このウォレットに対して、プリペイドカード２５などにより、現金１００００円分に相当する金額の電子バリューが入金されると、図１１（ａ）に図示するように、換金不可バリュー残高が「１００００」となる。
【０１１７】
次に、ユーザによる投票指示に基づいて、５０００円の投票金額の投票が行われると、図１１（ｂ）に図示するように、換金不可バリュー残高から当該投票金額が減算され、換金不可バリュー残高が「５０００」となる。
【０１１８】
ここで、第２の実施形態における的中払戻金に対する処理について説明する。
上述したように、第１の実施形態においては、払戻金額は、全て換金可能バリュー残高に対して加算された。一方、第２の実施形態においては、払い戻された的中払戻金のうち、投票金額を上回る部分のみが換金可能バリュー残高に対して加算され、投票金額以下の部分については換金不可バリュー残高に加算される。
したがって、上記の投票に対する的中払戻金として、３５００円の払戻金額の払い戻しが行われる場合、払戻金額が投票金額に満たないため、図１１（ｃ）に図示するように、３５００円の払戻金額は全て換金不可バリュー残高に対してされ、換金不可バリュー残高が「８５００」となる。
【０１１９】
図１２は、図１１を参照して上記説明した、入金、投票、および払戻に続いて、ユーザが、７０００円分の投票を行い、９０００円分の的中払戻金を獲得した場合における例を示す。以下に、詳しく説明する。
まず、図１２（ａ）に図示するように、換金不可バリュー残高、換金可能バリュー残高、およびリチャージ総額は、それぞれ「８５００」、「０」、および「０」である。
【０１２０】
次に、ユーザによる投票指示に基づいて、７０００円の投票金額の投票が行われると、図１２（ｂ）に図示するように、換金不可バリュー残高から当該投票金額が減算され、換金不可バリュー残高が「１５００」となる。
【０１２１】
次に、上記の投票に対する的中払戻金として、９０００円の払戻金額の払い戻しが行われる場合、上述したように、払い戻された的中払戻金のうち、投票金額を上回る部分のみが換金可能バリュー残高に対して加算されることから、７０００円の投票金額を上回る部分である２０００円が換金可能バリュー残高に対して加算される。これにより、図１２（ｃ）に図示するように、換金可能バリュー残高が「２０００」となる。また、上述したように、払い戻された的中払戻金のうち、投票金額以下の部分については換金不可バリュー残高に加算されることから、投票金額分である７０００円が換金不可バリュー残高に対して加算される。これにより、図１２（ｃ）に図示するように、換金不可バリュー残高が「８５００」となる。
【０１２２】
［電子バリュー管理装置の動作］
以下、本実施形態における電子バリュー管理装置１０の動作について、図面を参照しながら説明する。
図１３は、本発明の第２の実施形態における電子バリュー管理装置１０の動作を示すフローチャートである。本フローチャートは、ユーザ端末３０から電子バリュー管理装置１０へ、ユーザによる投票の投票金額を示す投票金額情報を含む、投票指示を示す情報が送信された際に開始する。
【０１２３】
なお、図１３に図示する、ステップＳ１０１からステップＳ１１１までの第２の実施形態における電子バリュー管理装置１０の動作は、上述した、図１０に図示する、ステップＳ００１からステップＳ０１１までの第１の実施形態における電子バリュー管理装置１０の動作と同一であるため、説明を省略する。
【０１２４】
（ステップＳ１１２）電子バリュー管理装置１０の払戻管理部１０３は、ユーザ端末３０から送信された、電子バリューの残高の照会指示を示す情報を取得したことを契機に、投票サーバ４０に対して、的中払戻金の有無についての照会を行う照会処理を実行する。その後、ステップＳ１１３へ進む。
なお、上述したように、ここでは、電子バリューの残高の照会指示を示す情報を取得したことを契機に照会処理を実行するものとしたが、これに限られない。電子バリュー管理装置１０は、例えば、定期的に（例えば、１時間ごとに）、照会処理を実行するようにしてもよい。
【０１２５】
（ステップＳ１１３）電子バリュー管理装置１０の払戻管理部１０３が、ステップＳ１１２において実行した照会処理を行った結果、的中払戻金があることを認識した場合、ステップＳ０１４へ進む。そうでない場合、本フローチャートの処理が終了する。
【０１２６】
（ステップＳ１１４）電子バリュー管理装置１０の払戻管理部１０３は、ステップＳ１１３において認識した的中払戻金に相当する払戻金額が、投票金額より大きいか否かを判定する。
電子バリュー管理装置１０の払戻管理部１０３が、当該払戻金額が投票金額より大きいと判定した場合、ステップＳ１１５へ進む。そうでない場合（すなわち、電子バリュー管理装置１０の払戻管理部１０３が、当該払戻金額が投票金額以下であると判定した場合）、ステップＳ１１６へ進む。
【０１２７】
（ステップＳ１１５）電子バリュー管理装置１０の払戻管理部１０３は、的中払戻金に相当する払戻金額を、換金可能バリュー残高に加算する。以上で、本フローチャートの処理が終了する。
【０１２８】
（ステップＳ１１６）電子バリュー管理装置１０の払戻管理部１０３は、的中払戻金に相当する払戻金額から投票金額を差し引いた差額を、換金可能バリュー残高に加算する。その後、ステップＳ１１７へ進む。
【０１２９】
（ステップＳ１１７）電子バリュー管理装置１０の払戻管理部１０３は、投票金額を換金不可バリュー残高に加算する。
以上で、本フローチャートの処理が終了する。
【０１３０】
以上、説明したように、本実施形態における電子バリュー管理装置１０は、ユーザの継続的な参加を促しつつ、電子バリューを用いた不正行為を防止することができる。
電子バリュー管理装置１０は、現金への換金が不可能であり、投票用に用いられる換金不可バリューを管理することができるため、上述したように、公営競技の主催者は、ウォレットに入金したユーザに対して積極的な投票を促すことができ、投票件数の増加による売上金額の拡大や、ユーザの定着化によるユーザ数の拡大などを図ることができる。また、電子バリュー管理装置１０が、当該換金不可バリューを管理することできるため、公営競技の主催者は、入金した電子バリューを投票に使わないまま現金へ換金することによるユーザの不正行為（マネーロンダリング）の防止を図ることができる。
【０１３１】
また、本実施形態における電子バリュー管理装置１０が、現金への換金が可能である換金可能バリューを管理することができるため、上述したように、公営競技の主催者は、例えば、ユーザが、投票によって払い戻された換金可能バリューを、再び投票するために換金不可バリューに変換した場合には、ユーザの継続的な投票に対して特典（インセンティブ）付与を行うような施策を実施することができる。これにより、公営競技の主催者は、投票件数の増加による売上金額の拡大や、ユーザの定着化によるユーザ数の拡大などを図ることができる。公営競技の主催者は、例えば、ユーザに対して、換金可能バリューから換金不可バリューへ変換された金額等に応じて換金不可バリューを付与するなどのインセンティブ付与を行うような施策を実施することができる。
【０１３２】
以上、この発明の実施形態について詳しく説明してきたが、具体的な構成は上述のものに限られることはなく、この発明の要旨を逸脱しない範囲内において様々な設計変更等をすることが可能である。
【０１３３】
なお、上述した実施形態における電子バリュー管理装置１０の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【０１３４】
なお、ここでいう「コンピュータシステム」とは、電子バリュー管理装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１３５】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１３６】
また、上述した実施形態における電子バリュー管理装置１０を、ＬＳＩ（Ｌａｒｇｅ  Ｓｃａｌｅ  Ｉｎｔｅｇｒａｔｉｏｎ）等の集積回路として実現してもよい。電子バリュー管理装置１０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１３７】
１・・・電子バリュー管理システム、１０・・・電子バリュー管理装置、２０・・・電子バリュー流通サーバ、２５・・・プリペイドカード、３０・・・ユーザ端末、４０・・・投票サーバ、５０・・・金融機関サーバ、６０・・・送金サーバ、１００・・・記憶部、１０１・・・入金処理部、１０２・・・投票管理部、１０３・・・払戻管理部、１０４・・・特典管理部、１０００・・・電子バリュー情報
【図１】
2018165933.tif 000003
【図２】
2018165933.tif 000004
【図３】
2018165933.tif 000005
【図４】
2018165933.tif 000006
【図５】
2018165933.tif 000007
【図６】
2018165933.tif 000008
【図７】
2018165933.tif 000009
【図８】
2018165933.tif 000010
【図９】
2018165933.tif 000011
【図１０】
2018165933.tif 000012
【図１１】
2018165933.tif 000013
【図１２】
2018165933.tif 000014
【図１３】
2018165933.tif 000015